(57)【要約】      （修正有）【課題】座る姿勢を調節せずに方角を変えることができ、使いやすい収納腰掛けを提供する。【解決手段】収納腰掛けは、腰掛け本体１と、腰掛け蓋２とを備え、前記腰掛け本体は、底面と、底面のエッジに沿って上へ延在する側壁とを備え、前記底面が側壁と共に上端に開口が設けられた１つの収納室を形成し、前記側壁は、内面層と、外面層と、内面層と外面層の間に挟まれて設けられたサンドイッチ層とを備え、前記サンドイッチ層のうちの少なくとも一層の材質は、剛性材料であり、前記腰掛け本体の底部には、回転台座３が着脱可能に接続されている。側壁のサンドイッチ層にボール紙を用いるので、荷重耐性が大幅に向上し、より安全に使用することができる。腰掛け本体１の底部には、回転台座３が設けられ、使用時、３６０°回転させることができる。【選択図】図１
0003186452.tif 000002
【実用新案登録請求の範囲】
【請求項１】
腰掛け本体と、腰掛け蓋とを備え、前記腰掛け本体は、底面と、底面のエッジに沿って上へ延在する側壁とを備え、前記底面が側壁と共に上端に開口が設けられた１つの収納室を形成する収納腰掛けであって、
前記側壁は、内面層と、外面層と、内面層と外面層の間に挟まれて設けられたサンドイッチ層とを備え、前記サンドイッチ層のうちの少なくとも一層の材質は剛性材料であり、前記腰掛け本体の底部には、回転台座が着脱可能に接続されていることを特徴とする収納腰掛け。
【請求項２】
前記剛性材料は、硬いボール紙であることを特徴とする請求項１に記載の収納腰掛け。
【請求項３】
前記内面層と外面層は、一体に接続されていることを特徴とする請求項１に記載の収納腰掛け。
【請求項４】
前記底面の上には、剛性板が設けられ、前記剛性板の形状は、収納室の底部の形状と同じであり、前記剛性板のエッジは、前記内面層の底部に接続されていることを特徴とする請求項１に記載の収納腰掛け。
【請求項５】
前記腰掛け蓋の下表面には、前記収納室の開口の形状と同じ形状の凸部を有する蓋板が設けられていることを特徴とする請求項１に記載の収納腰掛け。
【請求項６】
前記回転台座の材質は、プラスチックであることを特徴とする請求項１に記載の収納腰掛け。
【考案の詳細な説明】
【技術分野】
【０００１】
本考案は、収納用品分野に属し、特に、収納腰掛けに関する。
【背景技術】
【０００２】
収納腰掛けは、新型の住宅用備蓄用品であり、外観は、円形、多角形、正方形または長方形であり、腰掛け本体と、腰掛け蓋とを備え、腰掛け本体には、開口が上に向く収納室が設けられ、腰掛け蓋は、可動的に腰掛け本体に被せられる。腰掛け蓋を開けると、収納室に物品を収納したり、収納室から物品を取り出したりすることができるが、腰掛け蓋を閉じると、腰掛けとして用いることができる。従来の収納腰掛けのほとんどには、以下の欠陥がある：一、荷重耐性が良くないので、使用上安全とはいえない、二、腰掛け蓋と腰掛け本体の結合が不安定であるので、相対的に移動しやすい、三、製造しにくく、例えば、腰掛け蓋のエッジを折り返して蓋エッジ等を形成しなければならない。
【考案の概要】
【考案が解決しようとする課題】
【０００３】
上述した従来技術の不備を解消するために、本考案が解決しようとする技術課題は、荷重耐性がよく、より安全に使用可能な収納腰掛けを提供することである。
【課題を解決するための手段】
【０００４】
上述した技術課題を解決するために、本考案は、以下の構成を採用する：
収納腰掛けは、腰掛け本体と、腰掛け蓋とを備え、前記腰掛け本体は、底面と、底面のエッジに沿って上へ延在する側壁とを備え、前記底面が側壁と共に上端に開口が設けられた１つの収納室を形成し、前記側壁は、内面層と、外面層と、内面層と外面層の間に挟まれて設けられたサンドイッチ層とを備え、前記サンドイッチ層のうちの少なくとも一層の材質は剛性材料であり、前記腰掛け本体の底部は、回転台座が着脱可能に接続されている。
【０００５】
前記剛性材料は、硬いボール紙であることが好ましい。
【０００６】
前記内面層と外面層は、一体に接続されていることが好ましい。
【０００７】
前記底面の上には、剛性板が設けられ、前記剛性板の形状は、収納室の底部の形状と同じであり、前記剛性板のエッジは、前記内面層の底部に接続されていることが好ましい。
【０００８】
前記腰掛け蓋の下表面には、前記収納室の開口の形状と同じ形状の凸部を有する蓋板が設けられていることが好ましい。
【０００９】
前記回転台座の材質は、プラスチックであることが好ましい。
【考案の効果】
【００１０】
本考案は、従来技術に比べ、以下のメリットがある：側壁は、サンドイッチ層として剛性材料（例えば、硬いボール紙）が用いられているので、荷重耐性が大幅に向上し、より安全に使用することができる。底面には、支持するように、剛性板が設けられているので、構成全体がより安定し、変形しにくい。剛性板のエッジは、側壁の内面層の底部に接続されているので、より分解・組立しやすい。蓋板と収納室の嵌合作用により、腰掛け蓋と腰掛け本体は、相対的に移動することがないので、両者の結合がより安定する。腰掛け蓋のエッジを折り返す必要がなくなったので、生産難度が大幅に低下し、生産効率が向上する。腰掛け本体の底部には、回転台座が設けられ、使用時、３６０°回転させることができるので、座る姿勢を調整せずに方角を変えることができ、非常に使いやすい。
【図面の簡単な説明】
【００１１】
【図１】本考案に係る実施例の構成全体の模式図である。
【図２】本考案に係る実施例の腰掛け蓋の構成模式図である。
【図３】本考案に係る実施例の腰掛け本体の構成模式図である。
【図４】本考案に係る実施例の回転台座の構成模式図である。
【考案を実施するための形態】
【００１２】
以下、図面を参照しながら、具体的な実施例を挙げて本考案の技術内容、構成特徴、実現しようとする目的及び効果について更に詳しく説明する。
【００１３】
図１〜図４に示すように、本考案の収納腰掛けは、腰掛け本体１と、腰掛け蓋２とを備え、前記腰掛け本体１は、底面１０と、底面１０のエッジに沿って上へ延在する側壁１１とを備え、前記底面１０は側壁１１と共に上端に開口が設けられた１つの収納室を形成し、前記側壁１１は、内面層１１０と、外面層１１１と、内面層１１０と外面層１１１の間に挟まれて設けられたサンドイッチ層とを備え、前記サンドイッチ層のうちの少なくとも一層の材質は、剛性材料であり、前記腰掛け本体１の底部には、回転台座３が着脱可能に接続されている。
【００１４】
上述した実施例においては、前記腰掛け本体１の外形は、円柱形、角柱形、立方体または直方体であってもよいが、円柱形であることが好ましい。前記側壁１１は、サンドイッチ層構成であり、その内面層１１０及び外面層１１１の層数は、一層以上であってもよく、材質は、必要に応じて布、皮革または人造皮革等を選択することができ、各層の材質は、同じであってもよく、異なってもよく、内面層１１０と外面層１１１の材質は、同じであってもよく、異なってもよく、設計の必要に応じて選定することができる。前記内面層１１０と外面層１１１は、頂部と底部において一体に接続されて１つの密封空室を形成することができるので、サンドイッチ層が密封空室内で被覆されることになる。前記サンドイッチ層の層数は、一層以上であってもよく、各層の材質は、同じであってもよく、異なってもよいが、少なくとも一層の材質は、剛性材料であり、前記剛性材料は、支持強度を十分に提供し、生産コストを十分に低減するために、硬いボール紙であることが好ましい。本実施例においては、構成の簡略化及び生産コストの低減を実現するために、一層の硬いボール紙を前記サンドイッチ層とすることが好ましく、硬いボール紙の種類及び厚さは、荷重の必要に応じて選定することができる。
【００１５】
上述した実施例においては、構成全体をより安定化させ、変形しにくくするために、前記底面１０の上には、剛性板１１２が設けられ、前記剛性板１１２の形状は、収納室の底部の形状と同じであり、前記剛性板１１２のエッジは、側壁１１の内面層１１０の底部に接続されているが、内面層１１０の底部は、底面１０と互いに分離する。分解と組立時、図３に示すように、剛性板１１２は、内面層１１０の底部に接続されているので、剛性板１１２が取り出された際、それに伴って側壁１１の内面層１１０も取り外され、洗いやすくなり、収納室の清潔を保つことができる。一方、剛性板１１２が収納室に入れられて底面１０の上に設けられると、側壁１１の内面層１１０は、再びサンドイッチ層を覆って収納室の室壁を形成する。そのうち、剛性板１１２もサンドイッチ構成を採用し、その内面層と外面層は、側壁１１の内面層と同じ材質を用い、縫合等の方法で剛性板１１２と内面層１１０の底部を接続してもよく、そのサンドイッチ層は、ボール紙、プラスチック板又はその他の剛性板材を用いることができる。
【００１６】
上述した実施例においては、収納腰掛けの快適さを高めるために、前記腰掛け蓋２には、サンドイッチ層構成を採用することが好ましく、その面層の材質には、必要に応じて布、皮革または人造皮革等を用いることが好ましく、そのサンドイッチ層の材質には、ウレタンフォームを用いることが好ましいが、ＰＵウレタンフォームを用いることがより好ましい。
【００１７】
上述した実施例においては、前記腰掛け蓋２の下表面には、前記収納室の開口の形状と同じ形状の凸部を有する蓋板２０が設けられている。腰掛け蓋２が腰掛け本体１の上と嵌合した場合、蓋板２０のエッジは、ちょうど側壁１１の内表面に当接するので、腰掛け蓋２と腰掛け本体１は、相対的に移動することがなく、結合の安定さを保証することができるとともに、腰掛け蓋２のエッジを折り返して蓋エッジを形成する必要がないので、生産難度が大幅に低下し、生産効率が向上する。
【００１８】
上述した実施例においては、前記腰掛け本体１の底部には、回転台座３が着脱可能に接続され、前記回転台座３の材質には、プラスチックを用いることが好ましい。使用時、腰掛け本体１は、３６０°回転させることができるので、座る姿勢を調整せずに方角を変えることができ、非常に使いやすい。
【００１９】
上述した内容は、本考案の実施例であり、本考案は、これらの実施例に限られるものではない。本考案の主旨から逸脱しない限り、様々な変形や取り替えは、全て本考案の請求の範囲内に含まれる。
【符号の説明】
【００２０】
１      腰掛け本体
２      腰掛け蓋
３      回転台座
１０    底面
１１    側壁
１１０  内面層
１１１  外面層
１１２  剛性板
２０    蓋板
【図１】
0003186452.tif 000003
【図２】
0003186452.tif 000004
【図３】
0003186452.tif 000005
【図４】
0003186452.tif 000006